(57)【要約】【課題】  偽造や変造による誤換金が起こりにくい景品構造体交換システムを提供することを目的とする。【解決手段】  景品構造体変換システム（１０）は、景品構造体（１）を挿入するための挿入部（１１３）と、景品構造体を返却するための返却部（１１４）と、景品構造体に応じた現金を払出すための払出部（１３４）と、景品構造体交換システムに利用される景品構造体に関する認証データ及び景品構造体交換システムに利用される景品構造体の流通地域を特定するための第２地域データを記憶するための記憶部（１０１）と、ＩＣチップから識別データ及び第１地域データを読み取るための読取部（１０７）と、認証データと識別データとが一致し且つ第１地域データと第２地域データとが一致する場合には景品構造体に応じた現金を払出部から払い出すように制御する制御部（１０１）とを有する。【選択図】      図１
2005287896.tif 000002
【特許請求の範囲】
【請求項１】
予め識別データ及び第１地域データが記憶されているＩＣチップを包含する景品構造体と、現金とを交換する景品構造体交換システムにおいて、
景品構造体交換システムに利用される景品構造体に関する認証データ及び景品構造体交換システムに利用される景品構造体の流通地域を特定するための第２地域データを記憶するための記憶部と、
挿入された前記景品構造体の前記ＩＣチップから前記識別データ及び前記第１地域データを読み取るための読取部と、
前記認証データと前記識別データ、及び前記第１地域データと前記第２地域データとを比較して、前記認証データと前記識別データとが一致しない場合又は前記第１地域データと前記第２地域データとが一致しない場合には挿入された前記景品構造体を返却するように制御し、前記認証データと前記識別データとが一致し且つ前記第１地域データと前記第２地域データとが一致する場合には前記景品構造体の価値に応じた現金を払い出すように制御する制御部と、
を有することを特徴とする景品構造体交換システム。
【請求項２】
予め、金額データ、識別データ及び第１地域データが記憶されているＩＣチップを包含する景品構造体と、現金とを交換する景品構造体交換システムにおいて、
景品構造体交換システムに利用される景品構造体に関する認証データ及び景品構造体交換システムに利用される景品構造体の流通地域を特定するための第２地域データを記憶するための記憶部と、
挿入された前記景品構造体の前記ＩＣチップから前記金額データ、前記識別データ及び前記第１地域データを読み取るための読取部と、
前記認証データと前記識別データ、及び前記第１地域データと前記第２地域データとを比較して、前記認証データと前記識別データとが一致しない場合又は前記第１地域データと前記第２地域データとが一致しない場合には挿入された前記景品構造体を返却するように制御し、前記認証データと前記識別データとが一致し且つ前記第１地域データと前記第２地域データとが一致する場合には前記金額データに応じた現金を払い出すように制御する制御部と、
を有することを特徴とする景品構造体交換システム。
【請求項３】
前記景品構造体交換システムは、前記景品構造体を挿入する挿入部及び前記景品構造体を返却する返却部を有する景品投入機と、前記景品投入機とは別体に構成され前記景品構造体の価値に応じた現金を払い出す払出部を有する現金払出機とを有する請求項１又は２に記載の景品構造体交換システム。
【請求項４】
さらに、景品及び払出した金額に関する景品交換履歴情報を記憶するための第２の記憶部と、
前記第２の記憶部に記憶された前記景品交換履歴情報を前記景品構造体交換システム外に出力するためのデータ出力端子と、
を有する請求項１又は２に記載の景品構造体交換システム。
【請求項５】
前記ＩＣチップは、前記景品構造体中に配置された非接触ＩＣカード内に配置される、請求項１〜４の何れか一項に記載の景品構造体交換システム。
【請求項６】
前記景品構造体は、さらに景品を含む、請求項１〜５の何れか一項に記載の景品構造体交換システム。
【発明の詳細な説明】
【技術分野】
【０００１】
本発明は、パチンコ店等の遊技客に渡す景品を景品交換所において現金と交換するための景品構造体交換システム関するものである。
【背景技術】
【０００２】
一般に、パチンコ店等の遊技場において、遊技客が獲得したパチンコ玉またはメダル等出玉を景品と交換する場合、遊技場において予め所定の金額（５０００円、１０００円等）のデータ等が記憶されたＩＣカード等によって構成される景品換金カードと交換する場合があった。その後、遊技客は当該景品換金カードを景品交換所に持参してさらに現金と交換し、現金と交換された景品換金カードは、遊技場へ再び景品として戻る場合が多かった（例えば、特許文献１参照）。
【０００３】
【特許文献１】特開平９−１０４１７号公報、第４頁
【発明の開示】
【発明が解決しようとする課題】
【０００４】
しかしながら、景品換金カードの偽造や変造が後を絶たず、景品交換所が損害を被ることがあった。また、正当な景品換金カードであっても、景品交換所が指定するパチンコ店等の遊技場以外の遊技場で出玉と交換された景品の交換を希望する遊技客も存在するので、景品の管理を行うことは困難であった。さらに、景品交換を人間に委ねると、換金間違い等が発生する可能性もあった。
【０００５】
そこで、本発明は、偽造や変造による誤換金が起こりにくい景品構造体交換システムを提供することを目的とする。
【０００６】
また、本発明は、予め定められた流通範囲でのみ景品構造体の交換を行う景品構造体交換システムを提供することを目的とする。
【０００７】
さらに、本発明は、現金の払出しを自動化することによって、換金間違いの発生を抑えた景品構造体交換システムを提供することを目的とする。
【課題を解決するための手段】
【０００８】
上記課題を解決するために、本発明に係る景品構造体交換システムは、景品構造体交換システムに利用される景品構造体に関する認証データ及び景品構造体交換システムに利用される景品構造体の流通地域を特定するための第２地域データを記憶するための記憶部と、挿入された景品構造体のＩＣチップから識別データ及び第１地域データを読み取るための読取部と、認証データと識別データ及び第１地域データと第２地域データとを比較して、認証データと識別データとが一致しない場合又は第１地域データと第２地域データとが一致しない場合には挿入された景品構造体を返却するように制御し、認証データと識別データとが一致し且つ第１地域データと第２地域データとが一致する場合には景品構造体の価値に応じた現金を払い出すように制御する制御部と、を有することを特徴とする。
【０００９】
また、上記課題を解決するために、本発明に係る景品構造体交換システムは、景品構造体交換システムに利用される景品構造体に関する認証データ及び景品構造体交換システムに利用される景品構造体の流通地域を特定するための第２地域データを記憶するための記憶部と、挿入された景品構造体のＩＣチップから金額データ、識別データ及び第１地域データを読み取るための読取部と、認証データと識別データ及び第１地域データと第２地域データとを比較して、認証データと識別データとが一致しない場合又は第１地域データと第２地域データとが一致しない場合には挿入された景品構造体を返却するように制御し、認証データと識別データとが一致し且つ第１地域データと第２地域データとが一致する場合には金額データに応じた現金を払い出すように制御する制御部と、を有することを特徴とする。
【００１０】
さらに、本発明に係る景品構造体交換システムは、景品構造体を挿入する挿入部及び景品構造体を返却する返却部を有する景品投入機と、景品投入機とは別体に構成され景品構造体の価値に応じた現金を払い出す払出部を有する現金払出機とを有することが好ましい。
【００１１】
さらに、本発明に係る景品構造体交換システムは、景品構造体及び払出した金額に関する景品交換履歴情報を記憶するための第２の記憶部と、第２の記憶部に記憶された景品交換履歴情報を景品構造体交換システム外に出力するためのデータ出力端子と、を有することが好ましい。
【００１２】
さらに、本発明に係る景品構造体交換システムでは、ＩＣチップは、景品構造体中に配置された非接触ＩＣカード内に配置されることが好ましい。
【００１３】
さらに、本発明に係る景品構造体交換システムでは、景品構造体は景品を含むことが好ましい。
【発明の効果】
【００１４】
本発明に係わる景品構造体交換システムでは、認証データと識別データとが一致し且つ第１地域データと第２地域データとが一致する場合のみ、景品構造体の価値に応じた現金を自動的に払い出すように制御されるので、景品構造体の流通範囲を制限することが可能となった。
【００１５】
また、本発明に係わる景品構造体交換システムでは、認証データと識別データとが一致し且つ第１地域データと第２地域データとが一致する場合のみ、景品構造体の価値に応じた現金を自動的に払い出すように制御されるので、偽造や変造や人の手を介することによる誤換金をより防止することが可能となった。
【発明を実施するための最良の形態】
【００１６】
図１に本発明に係る景品構造体交換システム１０の概略ブロック構成図を示す。
【００１７】
図１に示すように、景品構造体交換システム１０は、遊技客が取り扱い易い様に景品交換所の外側に配置される景品投入機１００と、セキュリティー上等の要望から係員が取り扱い易い様に景品交換所の内側に配置される現金払出機１３０から構成される。
【００１８】
景品投入機１００は、コントロール部１０１、電源部１０２、操作部１０３、第１ディスプレイ部１０４、ＣＣＤカメラ及び／又はマイク１０５及び景品構造体１を搬送及び一次保管するための景品搬送機構等から構成される。景品構造体交換システム１０で利用される景品構造体１は、後述するように、カード形状をしており、第１の金額（例えば１０００円）に対応する第１景品構造体と、第２の金額（例えば５０００円）に対応する第２景品構造体の２種類が存在する。第１景品構造体及び第２景品構造体の形状は同一であることが好ましい。
【００１９】
景品搬送機構は、景品投入部１０６、景品読取部１０７、第１仕分部１０８、第１保管部１０９、第２保管仕分部１１０、第２保管部１１１、第３仕分部１１２、景品投入口１１３、景品返却口１１４、第１景品構造体取出口１１５及び第２景品構造体取出口１１６等から構成される。
【００２０】
現金払出機１３０は、現金保管部１３１、払出部１３２、レシート印字部１３３、現金払出口１３４及び第２ディスプレイ１３５等から構成される。現金払出機１３０の各要素は、景品投入機１００のコントロール部１０１とライン１２０によって相互に接続されている。
【００２１】
景品投入機１００のコントロール部１０１は、ＣＰＵ、ＲＡＭ及びＲＯＭ等を含む適切なメモリ、Ｉ／Ｏ、ＬＡＮ等のネットワーク接続用のインターフェース等を有し、景品投入部１００及び現金払出機１３０の全ての要素の制御を、予め定められメモリに記憶された制御プログラムに従って制御する。また、コントロール部１０１は、データ出力端子を介して後述する景品交換履歴情報を外部に出力すること、ビデオ出力端子を介してＣＣＤカメラ部１０５で撮像したビデオデータを外部に出力すること、ＬＡＮインターファイスを介して後述する景品交換履歴情報をＬＡＮやインターネット等のネットワークに接続されたサーバや本部のホストコンピュータに送信することができるように構成されている。また、データ出力端子、ビデオ出力端子及びＬＡＮ等のネットワーク接続用インターフェースは、図示されていないが、景品投入機１００及び／又は現金払出機１３０の適切な個所に設けることができる。
【００２２】
電源部１０２は、ＡＣ電源と接続され、コントロール部１０１を含み、（明示されていないが）景品投入機１００及び現金払出機１３０の各要素に電力を供給する。
【００２３】
操作部１０３は、景品投入機１００の前面に取付けられた換金ＳＷ及び取消ＳＷを含んでいる。他の適切なＳＷが追加で設けられるようにしても良い。
【００２４】
第１ディスプレイ１０５は、投入された景品の合計換金金額等を表示するための表示装置であって、景品投入機１００の見やすい場所に配置される。
【００２５】
ＣＣＤカメラ部１０５は、景品投入機を利用した遊技客を撮像するためのものであって、セキュリティー上の目的から、前述したビデオ端子からのビデオ出力行う。出力されたビデオ出力は適切な記録機器によって録画されることが好ましい。
【００２６】
投入部１０６は景品投入口１１３に置かれた景品構造体１を取り込み、読取部１０７内のリーダライタは非接触で景品構造体中１の非接触型ＩＣチップが記憶するデータを読み取る、第１仕分部１０８は第１景品構造体を第１保管部１０９へ、第２景品構造体を第２保管部へ一次的に保管されるように仕分る。景品構造体１の金額が確認されると、第１及び第２景品構造体はそれぞれ第２仕分部及び第３仕分部によって取出口１１５及び１１６へ排出される。取出口１１５及び１１６は景品投入機１００の裏側（係員側）に配置されており、係員が取り出し、後にまとめて卸商社に販売する。また、読取部１０７が景品構造体１のデータを適切に読み取れなかった場合、遊技客が操作部１０３（取消ＳＷ）によって換金作業を取り消した場合、不正な景品構造体であると判断された場合、流通領域外の景品構造体であると判断された場合等の場合には、景品構造体１は返却口１１４に返却される。
【００２７】
第２ディスプレイ１３５は、投入された景品構造体１の合計換金金額等を表示するための表示装置であって、係員の見やすい場所に配置される。遊技客が換金ＳＷを押すと、現金保管部１３１から相当する現金（紙幣及び／コイン）が払出し部１３２を介して払出口１３４へ払い出され、合わせてその内容が印字部１３３からレシートに印字されて排出される。係員は、払出口１３４からの現金及び印字部１３３からのレシートを遊技客に手渡す。このようにして、景品交換所では、景品構造体１と現金との交換がなされる。
【００２８】
図２に、景品交換所２００に設置された景品構造体交換システム１０の一例を示す。景品投入機１００は、景品交換所２００の遊技客が見やすい場所に配置され、現金払出機１３０は、景品交換所２００の内側に配置されている。係員は、セキュリティー上の要望から、払出口１３４からの現金及び印字部１３３からのレシートを払出窓口２１０から遊技客に手渡す。
【００２９】
図３に、景品構造体１の一例を示す。本願で利用する景品構造体１は、厚さ（Ｄ）５ｍｍ、高さ（Ｈ）５８ｍｍ、幅（Ｗ）９０ｍｍのカード型をしており、景品としてＳＤメモリカード４０２を内蔵している。前述した第１景品構造体（１０００円相当）の場合には、景品として８ＭＢのＳＤメモリカードを内蔵させ、第２景品構造体（５０００円相当）の場合には、景品として６４ＭＢのＳＤメモリカードを内蔵させる。なお、ＳＤメモリカード及びその記憶容量は一例であって、他のメモリカードや他の記憶容量を有するもの、他の長期保存可能な物品で置き換えることも可能である。
【００３０】
図４に、景品構造体１の分解斜視図を示す。前述した景品４０３は、景品４０３の形に切り抜かれた第１スペーサ４０４の中心に置かれ、第２スペーサ４０５を介して非接触ＩＣカード４０６と共に、樹脂製の上下ケース４０１及び４０７の間に挿入される。また、業者識別ラベル４０２がスペーサ４０４の上に貼付されることが好ましい。景品構造体１が分解されたり、改造されたりしないように、上下ケース４０１及び４０７は超音波溶着又は接着により接合されることが好ましい。また、上ケース４０１は、ラベル４０２及び景品４０３を外部から識別できるように透明な樹脂で形成されることが好ましい。
【００３１】
非接触ＩＣカード４０６は、ＩＣチップ及びアンテナを内蔵し、駆動電力をアンテナを介して外部から供給できる構成であって、ＩＣチップには、景品構造体１に関するデータが記憶されている。
【００３２】
景品構造体１に記憶されるデータは、３桁の支部データ、１桁の地域データ、３桁の業者データ、１桁の金額データ（１０００円／５０００円）及び７桁の景品構造体シリアルデータからなる１５桁の数字列から構成される識別データである。なお、前記識別データは一例であって、これに限定されるもではない。
【００３３】
識別データの内、支部データ、地域データ及び業者データは、景品構造物１の流通範囲を特定するための地域データである。この地域データを利用して、予め定められた範囲内の景品交換所でのみ交換できるようにすることができる。これは、遊技場と景品交換所が、広範囲に多数点在するため、景品構造体１の流通範囲を無制限にすると、改造及び変造の可能性が高くなり、また景品構造体の管理が難しくなるからである。
【００３４】
７桁の景品構造体シリアルデータは、ユニークなデータであって、これによって全ての景品構造体１の一つ一つを識別することが可能である。
【００３５】
本実施形態では、１５桁の識別データの中に、７桁の地域データ及び１桁の金額データを包含するように設定したが、例えば、７桁の景品構造体シリアルデータを識別データとし、別々の識別データ、地域データ及び金額データをＩＣチップに予め記憶することも可能である。
【００３６】
図５に、他の景品構造体２の一例を示す。景品構造体１としては、前述したように、第１景品構造体（１０００円に相当）及び第２景品構造体（５０００円に相当）の２種類が使用される。しかしながら、遊技場の遊技客が獲得する景品額は、１０００円単位又は５０００円単位とは限らない。したがって、９０００円分の景品を獲得した遊技客は、第１景品構造体４個と第２景品構造体１個を受け取ることとなり、繁雑である。そこで、上下ケースの内部に、複数の景品４０３（１０００円相当）を装着することができるスペースを設け、獲得した景品額に応じて、景品を挿入できるように構成した。この景品構造体２を利用した場合、９０００円の景品を獲得した遊技客は、第２景品構造体１個と、４つの景品４０３を挿入した景品構造体２の１つを受け取ることなる。景品構造体２は、景品構造体１と同様に、分解及び／又は改造される恐れを無くすために、上下ケースは通常はしっかりと相互に固着されているが、特殊器具等を用いると分解できるように構成されることが好ましい。また、景品構造体２を利用する場合には、不図示の自動挿入装置によって、獲得金額に応じて景品４０３が景品構造体２の上下ケース内に挿入されて、その後上下ケースが相互に固着されることが好ましい。
【００３７】
図６に、図１に示す景品構造体交換システムの動作フローの一例を示す。フローは、コントロール部１０１の所定のメモリに予め記憶されている所定制御プログラムに応じて、ＣＰＵ等によって実行される。
【００３８】
最初に不図示のＳＷによって景品投入機１００及び現金払出機１３０の電源を投入する（ステップ６０１）。
【００３９】
景品構造体交換システムは、景品構造体１カードの挿入を常時検出し（ステップ６０２）、挿入口１１３に景品構造体１が投入されると、投入部１０６内の所定搬送機構を動作させて景品構造体１を一枚づつ読取部１０７へ向けて送り込む。
【００４０】
読取部１０７は、送り込まれた景品構造体１内の非接触ＩＣカード４０６との間でデータの送受信を行うためリーダライタを有しており、予め景品構造体１内の非接触ＩＣカード４０６内のＩＣチップに記憶されている識別データ（１５桁の数字列）を読み取る（ステップ６０３）。
【００４１】
次に、コントロール部１０１は、識別データが正常に読み取れたか否かを判断し（ステップ６０４）、読み取れない場合には、次段階の第１仕分部１０８を制御して正常に識別データを読み取ることができなかった景品構造体１を返却口１１４から返却させる（ステップ６１４）。正常に識別データを得ることができた場合には、読取成功と判断して次のステップへ進む。
【００４２】
次に、コントロール部１０１は、ステップ６０３で読み取った識別データを、予めメモリに記憶されている認証データと照合し（ステップ６０５）、合致するものが無い場合は不正景品構造体１と判断して（ステップ６０６）、次段階の第１仕分部１０８を制御して景品構造体１を返却口１１４から返却させる（ステップ６１７）。コントロール部１０１のメモリには、出回っている全ての景品構造体１の識別データと同様のデータが認証データとしてデータベース化して予め記憶されているものとする。
【００４３】
次に、コントロール部１０１は、ステップ６０３で読み取った地域データを、予めメモリに記憶されている地域データと照合し、予め定められた流通範囲にある景品構造体か否かを判断する（ステップ６０７）。予め定められた流通範囲でない場合は、不正な景品構造体と判断して、次段階の第１仕分部１０８を制御して景品構造体１を返却口１１４から返却させる（ステップ６１７）。例えば、県内を３８箇所の地域に区分し、各地域の遊技場で発行された景品構造体１には３８箇所の地域を表す地域データを記憶させ、同じ地域内の景品交換所２００でのみ現金と交換することができるように設定することができる。
【００４４】
また、識別データ及び地域データの照合の結果、不正な景品構造体１でないと判断された場合でも、同一の識別データ及び地域データを有する景品構造体が、複数個同時に景品投入機１００に投入された場合や、１日の間に２回以上同一の識別データ及び地域データを有する景品構造体が景品投入機１００に投入された場合（１日の間に同じ景品構造体が再利用される可能性が低い場合）には、不正景品構造体と見なし、返却する又は警告を発すようにしても良い。さらに、図８に示すように、複数箇所の景品交換所２００に設置された景品構造体交換システムを、ＬＡＮやインターネット等のネットワーク２０で所定のサーバ３０等に連結して集中管理すれば、同じ日に違う場所に設置された景品構造体交換システムに同一の識別データ及び地域データを有する景品構造体が投入された場合も、不正があったと見なすことができる。
【００４５】
ステップ６０７で、不正景品構造体でないと判断された場合には、コントロール部１０１は、景品構造体１の金額を、ステップ６０３で読み取った金額データから判断して、投入された景品構造体１の合計金額の計算を行う（ステップ６０８）。
【００４６】
次に、コントロール部１０１は、金額データに応じて、搬送中の景品構造体１が、第１景品構造体（１０００円）である場合には第１保管部に保管し、第２景品構造体（５０００円）である場合には第２保管部に保管するように、第１仕分部１０８を制御する（ステップ６０９）。
【００４７】
次に、コントロール部１０１は、投入口１１３に景品構造体１が存在するか否かを不図示のセンサ等によって判断し（ステップ６１０）、別の景品構造体１が投入口１１３に存在する場合にはステップ６０３〜６１０を繰り返す。コントロール部１０１は、別の景品構造体１が投入口１１３に存在しない場合には、それまでの合計金額を第１ディスプレイ１０４及び第２ディスプレイ１３５に表示する（ステップ６１１）。
【００４８】
第１ディスプレイ１０４及び第２ディスプレイ１３５に表示される合計金額の表示例を図７に示す。図中、７０１は第２景品構造体の枚数を示し、７０２は第１景品構造体の枚数を示し、７０４は合計金額を示している。また、７０３は予め定められた手数料率を示しており、７０５が手数料金額を示し、７０６は払出し金額の合計を示している。なお、図中７１０は現金払出機１３０の現金保管部１３１に保管されている現金の残高合計を示しており、この部分は係員用の第２ディスプレイ１３５のみに表示される。
【００４９】
次に、コントロール部１０１は、遊技客が、再度の景品構造体１の挿入をしたか、換金ＳＷ又は返却ＳＷ（１０３の操作部参照）を押したかを判断する（ステップ６１２）。
【００５０】
遊技客が景品構造体１を再度投入した場合、コントロール部１０１は、ステップ６０３〜６１２を繰り返す。また、遊技客が返却ＳＷを押した場合、コントロール部１０１は、第２仕分部１１０及び第３仕分部１１２を制御し、第１及び第２保管部１０９及び１１１に保管されている景品構造体１を、返却口１１４から返却する（ステップ６１７）。さらに、第１ディスプレイ１０４を確認した遊技客が換金ＳＷを押した場合、コントロール部１０１は、図７に表示される景品構造体１と現金との景品交換履歴（７１０の部分を除く）を、所定のメモリに保存する（ステップ６１３）。
【００５１】
次に、コントロール部１０１は、図７に表示される内容（７１０の部分を除く）を、所定の用紙に印字部１３３にて印字されてレシートが発行されるように制御を行う（ステップ６１４）。
【００５２】
次に、コントロール部１０１は、図７の７０６に示される金額の現金が、現金保管部１３１から払出部１３２によって払出口に払出されるように制御する（ステップ６１５）。係員は、払出口１３２から現金を取り出し、レシートを添えて、景品交換所２００の払出窓口２１０から遊技客に手渡す。なお、払出部１３２及びレシート印字部１３３を景品交換所２００の外側に配置して、係員なしで、レシート及び現金が払出されるように構成しても良い。
【００５３】
次に、コントロール部１０１は、第２仕分部１１０及び第３仕分部１１２を制御して、第１及び第２保管部１０９及び１１１に保管されている景品構造体１を、景品投入機１００の裏側に配置されている第１及び第２景品構造体取出口１１５及び１１６から排出させるように制御する（ステップ６１６）。係員は排出された景品構造体１を集め、後に卸商店に売却する。
【００５４】
その後、景品構造体交換システム１０は、再度景品構造体１の投入を常時検出する状態へ戻る（ステップ６０２）。
【００５５】
このようにして、景品構造体交換システムは、各種データを照合した上で、投入された景品構造体１に応じて手数料を計算し、対応した現金を自動的に払出すので、誤換金等を防止することが可能となった。
【図面の簡単な説明】
【００５６】
【図１】本発明に係る景品構造体交換システムの概略ブロック図である。
【図２】本発明に係る景品構造体交換システムに使用状況を説明するための図である。
【図３】本発明に利用される景品構造体の一例を示す図である。
【図４】図３に示す景品構造体の分解斜視図である。
【図５】本発明に利用される景品構造体の他の例を示す図である。
【図６】本発明に係る景品構造体交換システムの景品交換フローを示すフローチャートである。
【図７】表示画面の一例を示す図である。
【図８】ネットワーク化された景品構造体交換システムの一例を示す図である。
【符号の説明】
【００５７】
１、２…景品構造体
１０…景品構造体交換システム
２０…ネットワーク
３０…サーバ
１００…景品投入機
１０１…コントロール部
１０７…読取部
１１３…投入口
１１４…返却口
１２０…ケーブル
１３０…現金払出機
１３４…払出口
２００…景品交換所
【図１】
2005287896.tif 000003
【図２】
2005287896.tif 000004
【図３】
2005287896.tif 000005
【図４】
2005287896.tif 000006
【図５】
2005287896.tif 000007
【図６】
2005287896.tif 000008
【図７】
2005287896.tif 000009
【図８】
2005287896.tif 000010